(57)【要約】      （修正有）【課題】高速のデジタル信号により変調された高周波信号を送受信するための基地局あるいはモデムを有する広域加入者アクセス回線において、当該高周波信号を電力線あるいは配電線に結合して伝送し直接あるいは無線信号に変換して加入者端末において送受信するための電力線搬送装置に関するものである。【解決手段】接続端子（５７ｂ）（５７ｄ）には電力線あるいは配電線が接続され、接続端子（５７ｅ）（５７ｆ）には分散基地局の高周波信号出力が接続されている。分散基地局から出力される高周波信号が巻線（７３）に流れると２次巻線（７２）に高周波の磁流が流れ表面波あるいは進行波となって電力線あるいは配電線の電線（７２）の表面波あるいは進行波によって伝送される。【選択図】図３
2004297107.tif 000002
【特許請求の範囲】
【請求項１】
電力線あるいは配電線を利用して高速のデジタル信号により変調された広帯域の高周波信号あるいは複数の狭帯域の高周波信号を広域に伝送し当該高周波信号を直接あるいは別の高周波信号に変換しあるいは無線信号に変換して加入者端末との通信を行うための広域加入者アクセス回線において、
当該高周波信号を当該電力線あるいは配電線に結合するための分散基地局あるいは送受信装置と、当該分散基地局あるいは送受信装置により当該電力線あるいは配電線に結合された当該高周波信号を直接送受信する加入者端末あるいは中継局を介して送受信する加入者端末から構成され、
当該分散基地局あるいは送受信装置が比較的に小さい送信電力であり比較的に狭い地域をサービスするために設置され、当該分散基地局あるいは送受信装置と当該電力線あるいは配電線を結合するための結合手段あるいは当該中継局あるいは加入者端末と当該電力線あるいは配電線を結合するための結合手段あるいはこれらの両方が当該高周波信号を当該電力線あるいは配電線の少なくとも１本あるいは複数の電線に結合して進行波あるいは表面波として伝送しあるいは１本あるいは複数の電線と大地との間あるいは２本以上の電線の間の両端で当該高周波信号に対して短絡あるいは短絡に近い状態にすることでループを構成して結合し伝送するよう機能することを特徴とする電力線搬送装置
【請求項２】
電力線あるいは配電線を利用して高速のデジタル信号により変調された広帯域の高周波信号あるいは複数の狭帯域の高周波信号を広域に伝送し当該高周波信号を直接あるいは別の高周波信号に変換しあるいは無線信号に変換して加入者端末との通信を行うための広域加入者アクセス回線において、
当該高周波信号を当該電力線あるいは配電線に結合するための分散基地局あるいは送受信装置と、当該分散基地局あるいは送受信装置により当該電力線あるいは配電線に結合された当該高周波信号を直接送受信する加入者端末あるいは中継局を介して送受信する加入者端末から構成され、
当該分散基地局あるいは送受信装置が比較的に小さい送信電力であり比較的に狭い地域をサービスするために設置され、当該分散基地局あるいは送受信装置と当該電力線あるいは配電線を結合するための結合手段あるいは当該中継局あるいは加入者端末と当該電力線あるいは配電線を結合するための結合手段あるいはこれらの両方が当該高周波信号を当該電力線あるいは配電線の単相３線式低圧配電線路の少なくとも接地側電線に結合して伝送するよう機能することを特徴とする電力線搬送装置
【請求項３】
電力線あるいは配電線を利用して高速のデジタル信号により変調された広帯域の高周波信号あるいは複数の狭帯域の高周波信号を広域に伝送し当該高周波信号を直接あるいは別の高周波信号に変換しあるいは無線信号に変換して加入者端末との通信を行うための広域加入者アクセス回線において、
当該電力線あるいは配電線が単相３線式低電圧配電線であり、当該低電圧配電線の接地側線路あるいは接地側線路と大地との間に結合された分散基地局および当該低電圧配電線を引き込んだ家屋への引込口あるいは屋内に設けられた中継局あるいは加入者端末あるいは電気機器あるいは家電品を経由して伝送線路を構成し、
当該接地側線路の接地点の近傍に当該分散基地局あるいは送受信装置を設けて高周波信号を当該伝送線路に結合し、当該伝送線路の任意の部分に設けられた加入者端末あるいは中継局を当該伝送線路に結合して当該高周波信号を受信しあるいは送信しあるいは送受信することを特徴とする電力線搬送装置
【請求項４】
電力線あるいは配電線を利用して高速のデジタル信号により変調された広帯域の高周波信号あるいは複数の狭帯域の高周波信号を広域に伝送し当該高周波信号を直接あるいは別の高周波信号に変換しあるいは無線信号に変換して加入者端末との通信を行うための広域加入者アクセス回線において、
当該電力線あるいは配電線が単相３線式低電圧配電線であり、当該低電圧配電線の接地側線路と非接地側線路および当該低電圧配電線を引き込んだ家屋への引込口あるいは屋内に設けられた中継局あるいは加入者端末あるいは電気機器あるいは家電品を経由して伝送線路を構成し、
当該低電圧線路の接地側線路の接地点の近傍の接地側線路と非接地側線路の間に当該高周波信号に対して比較的に低いインピーダンスを呈し商用電力の周波数に対して比較的に高いインピーダンスを呈するフイルタをあるいは進相コンデンサを接続し当該接続点の近傍に当該分散基地局あるいは送受信装置を設けて高周波信号を当該伝送線路に結合し、当該伝送線路の任意の部分に設けられた加入者端末あるいは中継局あるいは電気機器あるいは家電品を当該伝送線路に結合して当該高周波信号を受信しあるいは送信しあるいは送受信することを特徴とする電力線搬送装置
【請求項５】
集合住宅あるいはオフイスビルあるいは工場の屋内の配電線を利用して高速のデジタル信号により変調された広帯域の高周波信号あるいは複数の狭帯域の高周波信号を広域に伝送し当該高周波信号を直接あるいは別の高周波信号に変換しあるいは無線信号に変換して加入者端末との通信を行うための大容量加入者アクセス回線において、
高圧電力線あるいは高圧配電線の受電盤あるいは屋内の配電線の分岐点あるいはこれらの近辺において、当該屋内配電線の接地側線路あるいは非接地側線路あるいはこれらの両者との間あるいは接地側線路と大地との間に結合された分散基地局あるいは送受信機と各個別の住宅の引き込み口あるいは屋内に設けられた中継局あるいは加入者端末あるいは電気機器あるいは家電品の間で伝送線路を構成し、
当該分散基地局あるいは送受信機を設けて当該高周波信号を当該伝送線路に結合し、当該伝送線路の任意の部分に設けられた加入者端末あるいは中継局を当該伝送線路に結合して当該高周波信号を受信しあるいは送信しあるいは送受信することを特徴とする電力線搬送装置
【請求項６】
集合住宅あるいはオフイスビルあるいは工場の屋内の配電線を利用して高速のデジタル信号により変調された広帯域の高周波信号あるいは複数の狭帯域の高周波信号を広域に伝送し当該高周波信号を直接あるいは別の高周波信号に変換しあるいは無線信号に変換して加入者端末との通信を行うための大容量加入者アクセス回線において、
高圧電力線あるいは高圧配電線の受電盤あるいは屋内の配電線の分岐点あるいはこれらの近辺において、接地側線路と非接地側線路の間あるいは非接地側線路間に当該高周波信号に対して比較的に低いインピーダンスを呈し商用電力の周波数に対して比較的に高いインピーダンスを呈するフイルタをあるいは進相コンデンサを接続し、当該接続地点の近傍に分散基地局あるいは送受信装置を設けて高周波信号を結合し、各個別の住宅に設けられた加入者端末あるいは中継局あるいは家電品において当該接地側線路と非接地側線路の間あるいは非接地側線路間に結合して当該高周波信号を受信しあるいは送信しあるいは送受信することを特徴とする電力線搬送装置
【請求項７】
当該高周波信号が５ＭＨｚ以上４００ＭＨｚ以下あるいは上り方向の流合雑音が比較的に少なく当該高周波信号の伝送損失が比較的に少ない周波数帯の搬送波を用いて高速のデジタル信号で変調されていることを特徴とする請求項第１項から第６項に記載の電力線搬送装置
【請求項８】
当該分散基地局あるいは送受信装置と当該電力線あるいは配電線を結合するための結合手段あるいは当該中継局あるいは加入者端末と当該電力線あるいは配電線を結合するための結合手段あるいはこれらの両方が当該高周波信号を当該電力線あるいは配電線の表面波あるいは進行波に変換することにより当該電力線あるいは配電線の電線に沿って伝送させるよう機能することを特徴とする請求項第１項から第７項までに記載の電力線搬送装置
【請求項９】
当該分散基地局あるいは送受信装置と当該電力線あるいは配電線を結合するための結合手段あるいは当該中継局あるいは加入者端末と当該電力線あるいは配電線を結合するための結合手段あるいはこれらの両方が当該高周波信号の相当部分を磁流あるいは高周波磁界に変換することにより当該電力線あるいは配電線に沿って伝送させるよう機能することを特徴とする請求項第１項から第８項までに記載の電力線搬送装置
【請求項１０】
当該中継局の結合器が家屋への引込み口近辺に設置されているワットメータ内あるいは屋内配電盤内あるいはこれらの近辺に設けられ当該高周波信号に対して当該低圧配電線の家屋への引込み線と屋内配線を分離し当該高周波信号を直接あるいは別の高周波信号に変換するとともに屋内に設けられたアンテナ部により無線回線を構成し無線中継を行うことを特徴とする請求項第１項から第９項までに記載の電力線搬送装置
【請求項１１】
当該中継局の結合器が家屋への引込み口近辺に設置されているワットメータ内あるいは屋内配電盤内あるいはこれらの近辺に設けられ当該高周波信号に対して当該低圧配電線の家屋への引込み線と屋内配線を分離し当該高周波信号を直接あるいは別の高周波信号に変換しするとともに屋内配線に再結合して伝送路を構成し有線中継を行いあるいは当該伝送路の先にアンテナ部を設けて無線回線を構成し無線中継を行うことを特徴とする請求項第１項から第１０項までに記載の電力線搬送装置
【請求項１２】
当該結合手段が当該電力線あるいは配電線の単一の電線を二次側巻線とし、当該２次側巻線と空心あるいは磁性体のコアあるいは２分割可能なフエライトコアを介して結合して１次側巻線とし、当該１次側巻線に当該分散基地局あるいは送受信装置あるいは当該中継局あるいは加入者端末の入出力端子を接続することを特徴とする請求項第１項から第１１項までに記載の電力線搬送装置
【請求項１３】
当該結合手段が当該電力線あるいは配電線あるいは接地線と一部を共有する結合ループを構成し、当該結合ループを介して当該電力線あるいは配電線に当該高周波信号を結合することを特徴とする請求項第１項から第１２項までに記載の電力線搬送装置
【請求項１４】
当該結合手段が一次巻線と２次巻線を有する場合には３次巻線を設け当該３次巻線に接続されたコンデンサと当該高周波信号の周波数に対して共振状態あるいは共振に近い状態にあるかあるいは１次巻線および２次巻線を含めて全体として共振状態あるいは共振に近い状態とし、あるいは当該結合手段が当該電線あるいは接地線の１部を共有する結合ループを有する場合には当該結合ループと直列にあるいは並列にあるいは直並列にコンデンサを接続し当該高周波信号の周波数に対して当該結合ループと当該コンデンサが共振状態あるいは共振に近い状態とすることを特徴とする請求項第１項から第１３項までに記載の電力線搬送装置
【請求項１５】
当該結合手段が当該電力線あるいは配電線に外部導体を直接あるいは比較的に大容量のコンデンサを介して接続し当該外部導体の内側に当該外部導体と直接あるいは比較的に大容量のコンデンサを介して接続して内部導体あるいはコイル状の内部導体を設け両者間の支持物あるいは一部あるいは全部に誘電体を用いて同軸共振器を構成することを特徴とする請求項第１項から第１４項までに記載の電力線搬送装置
【請求項１６】
当該結合手段が磁界と電界との結合あるいはループ結合とコンデンサ結合あるいは巻線結合とコンデンサ結合あるいはこれらの組合せにより当該高周波信号を当該電力線あるいは配電線の一方向にのみ伝送させるよう機能することを特徴とする請求項第１項から第１５項までに記載の電力線搬送装置
【請求項１７】
当該結合手段が当該電力線あるいは配電線に流れる電流あるいは線間電圧あるいはこれらの両方に結合し誘起する交流電圧を利用して当該分散アンテナに電力を供給することを特徴とする請求項第１項から第１６項までに記載の電力線搬送装置
【請求項１８】
当該分散基地局あるいは送受信装置と結合手段が地面に対して絶縁されており当該高周波信号が光ケーブルにより接続されていることを特徴とする請求項第１項から第１７項までに記載の電力線搬送装置
【請求項１９】
当該電力線あるいは配電線の開放端あるいは当該ワットメータ内部あるいは屋内配電盤の内部あるいは家屋への引き込み口近辺に当該高周波信号に対する無反射終端あるいは無反射結合器あるいは当該線路間あるいは大地への無反射終端あるいは電気機器による妨害あるいは干渉を抑止するための手段を設け、あるいは当該中継局あるいは加入者端末を当該電力線あるいは配電線に結合する地点あるいはその近辺で無反射終端あるいは無反射結合器を設けあるいは当該線路間あるいは大地への無反射終端あるいは電気機器による妨害あるいは干渉を抑止するための手段を設けることを特徴とする請求項第１項から第１８項までに記載の電力線搬送装置
【請求項２０】
当該結合手段が全体あるいは一部が電磁遮蔽あるいはシールドされており、あるいは電波の漏洩を防止するための電子部品が取り付けられあるいは電気材料により充填あるいは覆われあるいは電波の漏洩を抑制する手段を有することを特徴とする請求項第１項から第１９記載の電力線搬送装置
【請求項２１】
当該電力線あるいは配電線あるいは単相３線式低圧配電線の一部あるいは全部の電線の絶縁皮膜が高誘電率の材料でありあるいは絶縁皮膜の外周に間隔をおいて金属環が設けられあるいは絶縁皮膜の外周に第３の電線がらせん状に巻きつけられ当該高周波信号を表面波あるいは進行波として伝送し空間への放射を軽減することを特徴とする請求項第１項から第２０記載の電力線搬送装置
【請求項２２】
当該伝送路が移動無線の場合の典型的な伝搬特性であるマルチパスと等価な性質を有し回線設計の際に伝搬余裕として２０ｄＢ程度を確保することを特徴とする請求項第１項から第２１記載の電力線搬送装置
【発明の詳細な説明】
【０００１】
【産業上の利用分野】
この発明は、高速のデジタル信号により変調された高周波信号を送受信するための基地局あるいはモデムを有する広域加入者アクセス回線において、当該高周波信号を電力線あるいは配電線に結合して伝送し直接あるいは無線信号に変換して加入者端末において送受信するための電力線搬送装置に関するものである。
【０００２】
【従来の技術】
図６は特開２００２−３５４５３４に示された分散基地局の構成図である。
図６において、（１１）は有線モデムあるいは基地局、（１２ａ）は分散基地局＃１、（１２ｂ）は分散基地局＃２、（１３ａ）、（１３ｂ）、（１３ｃ）は光ケーブル、（１４）は加入者端末、（４１）（４２ａ）（４２ｂ）（４２ｃ）（４２ｄ）（４２ｅ）（４２ｆ）（４２ｇ）（４２ｈ）は接続端子、（５０ａ）（５０ｂ）（５０ｃ）（５０ｄ）は接続ケーブル、（５１ａ）（５１ｂ）は結合器、（５２ａ）（５２ｂ）（５２ｃ）（５２ｄ）（５２ｅ）（５２ｆ）は電力線あるいは配電線、（５３ａ）（５３ｂ）（５３ｃ）（５３ｄ）（５３ｅ）（５３ｆ）（５３ｇ）（５３ｈ）（５３ｉ）（５３ｊ）（５３ｋ）（５３ｍ）は接続端子、（５４）はコンセント、（５５）はプラグである。
基地局あるいは有線モデム（１１）はデジタル方式の送受信機により基地局分散装置（１２ａ）および（１２ｂ）に向けて数百Ｋｂｐｓ〜数Ｍｂｐｓの高速デジタル信号により変調された１０ＭＨｚ前後の高周波信号を送受信する。
光ケーブル（１２ａ）を経由して接続された基地局分散装置＃１（１２ａ）において、基地局あるいは有線モデム（１１）から送信された高周波信号は、分岐・増幅されて、接続ケーブル（５０ａ）（５０ｂ）によって結合器（５１ａ）に接続される。  結合器（５１ａ）には電力線あるいは配電線（５２ａ）（５２ｂ）（５２ｃ）（５２ｄ）が接続されている。
結合器（５１ａ）において、接続端子（５３ｉ）（５３ｊ）間に接続された巻線に当該高周波信号が印加されると、接続端子（５３ａ）（５３ｃ）間および（５３ｂ）（５３ｄ）間に接続されたコイルに各々黒丸印を起点とする起電力が生じ、電力線あるいは配電線（５２ａ）（５２ｂ）および（５２ｃ）（５２ｄ）にバランスした当該高周波信号を印加する。
当該高周波信号は電力線あるいは配電線（５２ｃ）（５２ｄ）間を伝搬し、家庭内に設置されたコンセント（５４）に現れ、プラグ（５５）によって加入者端末（１４）に接続される。
逆に、加入者端末（１４）から送信された高周波信号は、プラグ（５５）およびコンセント（５４）経由して、電力線あるいは配電線（５２ｃ）（５２ｄ）に接続され、結合器（５１ａ）により分散基地局＃１（１２ａ）に結合され、光ケーブル（１３ａ）に接続され、基地局あるいは有線モデム（１１）の受信機により受信される。
この際、電力線あるいは配電線（５２ｃ）（５２ｄ）に現れるアンバランスな高周波信号は、接続端子（５３ｉ）（５３ｊ）間には現れないので、放送波などの雑音による妨害を軽減できるメリットがある。
一方、ケーブル（１３ｂ）に接続された基地局分散装置＃２（１２ｂ）において、前段の分散基地局＃１（１２ａ）からの高周波信号を分岐し、接続ケーブル（５０ｃ）（５０ｄ）により結合器（５１ｂ）に接続され、電力線あるいは配電線（５２ｅ）（５２ｆ）間に結合される。
逆に、電力線あるいは配電線（５２ｅ）（５２ｆ）からの高周波信号は、結合器（５１ｂ）により分散基地局＃２（１２ｂ）に結合され、光ケーブル（１２ｂ）に結合され、基地局あるいは有線モデム（１１）の受信機により受信される。
以上に述べたように、従来の技術では、光ケーブル（１３ａ）（１３ｂ）により分散基地局＃１（１２ａ）と＃２（１２ｂ）に高周波信号を伝送し、結合器（５１ａ）および（５１ｂ）により当該高周波信号を電力線あるいは配電線（５２ａ）（５２ｂ）あるいは（５２ｃ）（５２ｄ）に結合して広域の加入者アクセス回線を構築することにより、分散基地局＃１（１２ａ）と＃２（１２ｂ）から出力される電力を小さく抑え、当該電力線あるいは配電線（５２ａ）（５２ｂ）および（５２ｃ）（５２ｄ）から漏洩される電力も小さく出来るメリットがあるが、結合器（５１ａ）と（５１ｂ）の構成が不明であり実現が難しい問題があった。
【０００３】
【発明が解決しようとする課題】
従来の技術では詳細が示されなかった高周波信号を分散基地局と電力線あるいは配電線あるいは単相３線式低圧配電線路の接地側電線利用して電力線搬送を実現する事を目的とする。
【０００４】
【課題を解決するための手段】
この発明に係る基地局分散装置は、基地局あるいはモデムの送受信機から入出力される高周波信号のままで電力線あるいは配電線に結合することで経済化を図る事が可能となる。
請求項の第１項では、当該高周波信号を複数箇所に設けた分散基地局により電力線あるいは配電線の少なくとも１本の電線に結合しあるいは少なくとも２本の電線間に結合することにより結合点での高周波電力を軽減し当該電力線るいは配電線から放射される電波を少なく抑えることにより電波法を満足させることができる。
請求項の第２項では、当該高周波信号を電力線あるいは配電線の単相３線式低圧配電線路の接地側電線に結合することで伝送路を構成し加入者端末に共通にアクセスができる。
請求項の第３項では、当該高周波信号を電力線あるいは配電線の単相３線式低圧配電線路の接地側電線と大地との間で結合することで伝送路を構成し加入者端末にアクセスができる。
請求項の第４項では、当該高周波信号を電力線あるいは配電線の単相３線式低圧配電線路の接地側電線と非接地側電線との間に比較的に低いインピーダンスを呈するフイルタあるいは進相コンデンサを接続して構成した伝送路に結合することで加入者端末にアクセスができる。
請求項の第５項では、当該高周波信号を集合住宅の受電盤あるいはその近くに設けた分散基地局と結合器により屋内配電線路の接地側電線と非接地側電線との間あるいは接地側電線と大地との間で形成した伝送路に結合することで加入者端末にアクセスができる。
請求項の第６項では、当該高周波信号を集合住宅の受電盤あるいはその近くに設けた分散基地局と結合器により屋内配電線路の接地側電線と非接地側電線との間に比較的に低いインピーダンスを呈するフイルタあるいは進相コンデンサを接続して構成した伝送路に結合することで加入者端末にアクセスができる。
請求項の第７項では、当該高周波信号が５ＭＨｚ以上４００ＭＨｚ以下あるいは上り方向の流合雑音が少なく当該高周波信号の伝送損失が少ない周波数帯のキャリアを当該高速のデジタル信号により変調したものである。
請求項の第８項では、当該高周波信号を電力線あるいは配電線の電線の表面を伝送する表面波あるいは進行波に変換し、高周波エネルギーを当該電力線あるいは配電線の電線表面に閉じ込めることにより放射される電波を少なく抑えることにより電波法を満足させることができる。
請求項の第９項では、当該高周波信号を磁流あるいは磁界により結合することにより表面波あるいは進行波による結合を実現する。
請求項の第１０項では、当該中継局の結合器がワットメータあるいは屋内配電盤の近くに設置され当該高周波信号に対して引込み線と屋内配線を切り離し当該中継局が屋内に対して無線中継を行う。
請求項の第１１項では、当該中継局の結合器がワットメータあるいは屋内配電盤の近くに設置され当該高周波信号に対して引込み線と屋内配線を切り離し当該中継局が屋内配線に対して有線中継を行う。
請求項の第１２項では、当該結合器が当該電力線あるいは配電線を２次巻線とし、空心あるいは磁性体のコアを介して１次巻線を設けて当該高周波信号を接続し当該高周波信号を磁流あるいは高周波磁界に変換して伝送する。
請求項の第１３項では、当該当該電力線あるいは配電線の電線と一部を共有するループを構成することで当該高周波信号を磁流あるいは高周波磁界に変換して伝送する。
請求項の第１４項では、コンデンサを接続して、当該高周波信号の周波数に共振させることで漏洩磁束の影響を避けてインピーダンスの変換を容易にする。
請求項の第１５項では、当該結合器が電力線あるいは配電線を内部導体とする同軸共振器により構成され、あるいはインピーダンス変換器により構成され表面波あるいは進行波を一方向に伝送させることができる。
請求項の第１６項では、当該結合器が高周波信号を電力線あるいは配電線の一方向にのみ伝送させることで反射波の影響を軽減する。
請求項の第１７項では、当該結合器の巻線に誘起する交流電圧により基地局分散装置に給電することで当該結合器を地面から絶縁することができる。
請求項の第１８項では、当該分散基地局と結合手段が地面に対して絶縁されており当該高周波信号が光ケーブルにより接続されており、電線に落雷したときのサージ電圧から保護される。
請求項の第１９項では、当該電力線あるいは配電線の開放端を無反射終端しあるいは当該中継局あるいは加入者端末のための結合器により無反射終端をすることで損失が少なく、安定な伝送線路を確保する。
請求項の第２０項では、当該結合器からの電波漏洩を抑圧するための対策を採ることで電波法を阻害すること防止する。
請求項の第２１項では、当該電線の絶縁皮膜が高誘電率の材料でありあるいは絶縁皮膜の外周に間隔をおいて金属環が設けられあるいは絶縁皮膜の外周に第３の電線がらせん状に巻きつけられ当該高周波信号を表面波あるいは進行波として伝送することで空間への放射を軽減することができる。
請求項の第２２項では、当該伝送路が移動無線の伝送路と等価な性質を有するので伝搬損失の許容値に２０ｄＢ程度の余裕をもたせるものとする。
【０００５】
【作用】
この発明において、当該電力線あるいは配電線により伝送される高周波信号は比較的に小電力でありあるいは電線の表面波あるいは進行波により伝送されるため電線から放射される電波が少なく電波法の規定を満足することができる。
【０００６】
【実施例】
以下、本発明の実施例を図に従って説明する。図１において、（１１）は有線モデムあるいは基地局、（１２ａ）は分散基地局＃１、（１２ｂ）は分散基地局＃２、（１３ａ）、（１３ｂ）、（１３ｃ）は光ケーブル、（１４）は加入者端末、（１５）は結合器、（１６）は中継局、（１７）は加入者無線端末、（４１）（４２ａ）（４２ｂ）（４２ｃ）（４２ｄ）（４２ｅ）（４２ｆ）（４２ｇ）（４２ｈ）は接続端子、（４３ａ）（４３ｂ）は付加インピーダンス、（５０ａ）（５０ｂ）（５０ｃ）（５０ｄ）は接続ケーブル、（５１ａ）（５１ｂ）は結合器、（５２ａ）（５２ｂ）（５２ｃ）（５２ｄ）（５２ｅ）（５２ｆ）は電力線あるいは配電線、（５３ａ）（５３ｂ）（５３ｃ）（５３ｄ）（５３ｅ）（５３ｆ）（５３ｇ）（５３ｈ）（５３ｉ）（５３ｊ）（５３ｋ）（５３ｍ）は接続端子、（５４）はコンセント、（５５）はプラグ、（５７ａ）（５７ｂ）（５７ｃ）（５７ｄ）（５７ｅ）（５７ｆ）は接続端子である。
基地局あるいは有線モデム（１１）に内蔵されるデジタル方式の送受信機から基地局分散装置（１２ａ）および（１２ｂ）に向けて数百Ｋｂｐｓ〜数十Ｍｂｐｓの高速デジタル信号により変調された５〜３００ＭＨｚの高周波信号を送受信する。
光ケーブル（１２ａ）を経由して接続された基地局分散装置＃１（１２ａ）において、基地局あるいは有線モデム（１１）から送信された高周波信号は、分岐・増幅されて、接続ケーブル（５０ａ）（５０ｂ）によって結合器（５１ａ）に接続される。  結合器（５１ａ）には電力線あるいは配電線（５２ａ）（５２ｂ）（５２ｃ）（５２ｄ）が接続されている。
当該結合器（５１ａ）において、接続端子（５３ｉ）（５３ｊ）間に接続された巻線に当該高周波信号が印加されると、接続端子（５３ａ）（５３ｃ）間および（５３ｂ）（５３ｄ）間に接続されたコイルに各々黒丸印を起点とする起電力が生じ、電力線あるいは配電線（５２ａ）（５２ｂ）および（５２ｃ）（５２ｄ）に同一位相あるいは逆相の高周波信号を結合する。
当該高周波信号は電力線あるいは配電線（５２ｃ）（５２ｄ）間を伝搬し、中継局（１６）に近い地点に設置された結合器（１５）の接続端子（５７ａ）、（５７ｂ）、（５７ｃ）、（５７ｄ）を経由して、家庭内に設置されたコンセント（５４）に現れ、プラグ（５５）によって加入者端末（１４）に接続され、大地を帰路として分散基地局あるいは送受信機に伝送される。
一方、結合器（１５）の接続端子（５７ｅ）（５７ｆ）の間にも当該高周波信号が誘起し、中継局（１６）により無線信号に変換され、加入者無線端末（１７）により送受信される。
逆に、加入者端末（１４）あるいは中継局（１６）から送信された高周波信号は、プラグ（５５）およびコンセント（５４）を経由しあるいは結合器（１５）を介して、電力線あるいは配電線（５２ｃ）（５２ｄ）に接続され、結合器（５１ａ）により分散基地局＃１（１２ａ）に結合され、光ケーブル（１３ａ）に接続され、基地局あるいは有線モデム（１１）の受信機により受信される。
この際、電力線あるいは配電線（５２ｃ）（５２ｄ）間に加えられた交流電力あるいは家電品あるいは動力機器によって発生する雑音は、接続端子（５３ｉ）（５３ｊ）間にたしては十分に減衰するので、これらによって発生する妨害を軽減できるメリットがある。
一方、ケーブル（１３ｂ）に接続された基地局分散装置＃２（１２ｂ）において、前段の分散基地局＃１（１２ａ）からの高周波信号を分岐し、接続ケーブル（５０ｃ）（５０ｄ）により結合器（５１ｂ）に接続され、電力線あるいは配電線（５２ｅ）（５２ｆ）間に結合される。
逆に、電力線あるいは配電線（５２ｅ）（５２ｆ）からの高周波信号は、結合器（５１ｂ）により分散基地局＃２（１２ｂ）に結合され、光ケーブル（１２ｂ）に結合され、基地局あるいは有線モデム（１１）の受信機により受信される。
以上に述べたように、２本の配電線に同一の位相で当該高周波信号を結合しあるいは２本の配電線に同一の位相で当該高周波信号を結合し大地を帰路として伝送線路を構成することによって従来の技術で問題になっていた商用電力の配電と共存するために受けていたＡＣ１００Ｖあるいは雑音等による干渉や妨害を改善できる。
ここで、結合器（５１ａ）（５１ｂ）（１５）において、当該高周波信号は電力線あるいは配電線（５２ａ）（５２ｂ）（５２ｃ）（５２ｄ）（５２ｅ）（５２ｆ）の複数の電線に対して同一の位相で結合され、家庭内の加入者端末あるいは電機製品を経由して大地を帰路とするループを形成することで家庭内の広い範囲で送受信できるメリットがある。
また、中継局（１６）を接続する結合器（１５）において、無反射の終端を行い接地側電線と非接地側電線との間あるいは大地への帰還ループを構成すれば、屋内に設置した家電品による影響を排除でき、これらからの干渉あるいは妨害を除去できる。
また、中継局（１６）当該高周波信号に対して当該電力線あるいは配電線（５２ａ）（５２ｂ）（５２ｃ）（５２ｄ）（５２ｅ）（５２ｆ）側と屋内とを分離し当該高周波信号を無線周波数に変換し屋内に設置されたアンテナにより加入者無線端末（１７）に対して無線中継を行うことも可能である。
また、中継局（１６）により当該高周波信号に対して当該電力線あるいは配電線（５２ａ）（５２ｂ）（５２ｃ）（５２ｄ）（５２ｅ）（５２ｆ）側と屋内とを分離し当該高周波信号を直接あるいは別の高周波信号に変換し屋内配線に再結合して有線中継を行うことも可能である。
また、使用する電線の絶縁皮膜に高誘電率の材料を用いあるいは絶縁皮膜の外周に金属環を間隔を置いて設けあるいは絶縁皮膜の外周に第３の電線を並行あるいはらせん状に配置することにより当該高周波信号を表面はあるいは進行はとして伝送し外部への放射を軽減することができる。
また、使用する電線の絶縁皮膜の外周に第３の電線を並行あるいはらせん状に配置して伝送路とし当該高周波信号を伝送することで外部への放射を軽減することができる。
また、線の絶縁皮膜の外周に第３の電線を並行あるいはらせん状に配置して伝送路とし当該高周波信号を伝送することで外部への放射を軽減することができる。また、接地側電線と非接地側電線との間あるいは非接地側電線間で帰還ループを構成する際、結合器（５１ａ）の接続端子（５３ａ）（５３ｂ）の間および結合器（１５）の接続端子（５７ｃ）（５７ｄ）の間に、当該高周波信号に対して短絡状態であり商用電源に対しては開放状態である付加インピーダンス（４３ａ）（４３ｂ）あるいは同様な特性を呈する素子あるいは回路を接続することでループ状の伝送路が構成でき同様な効果が得られる。
また、当該高周波信号のキャリア周波数として５ＭＨｚから３００ＭＨｚまでの広い周波数範囲で伝送損失が比較的に少なくインバータなどによる雑音も少なく、電力線あるいは配電線の引き込み線が多肢に枝分かれすることで生じる定在波は移動無線におけるマルチパスと等価であり、許容伝送損失に２０ｄＢ程度のマージンをとることで信頼性の高い通信が可能となることが分かった。
【０００７】
図２は、本発明の他の実施例を示す構成図であり、（１１）は有線モデムあるいは基地局、（１２ａ）は分散基地局＃１、（１２ｂ）は分散基地局＃２、（１３ａ）、（１３ｂ）、（１３ｃ）は光ケーブル、（１４）は加入者端末、（１５）は結合器、（１６）は中継局、（１７）は加入者無線端末、（４１）（４２ａ）（４２ｂ）（４２ｃ）（４２ｄ）（４２ｅ）（４２ｆ）（４２ｇ）（４２ｈ）は接続端子、（５０ａ）（５０ｂ）（５０ｃ）（５０ｄ）は接続ケーブル、（５１ａ）（５１ｂ）は結合器、（５２ａ）（５２ｂ）（５２ｃ）（５２ｄ）（５２ｅ）（５２ｆ）（５２ｇ）（５２ｈ）は単相３線式低圧配電線、（５３ａ）（５３ｃ）（５３ｅ）（５３ｇ）（５３ｉ）（５３ｊ）（５３ｋ）（５３ｍ）は接続端子、（５４）はコンセント、（５５）はプラグ、（５７ｂ）（５７ｄ）（５７ｅ）（５７ｆ）は接続端子、（５８ａ）（５８ｂ）は柱上トランス、（５９ａ）（９７ｂ）（５９ｃ）（５９ｄ）（５９ｅ）（５９ｆ）は接続端子、（６０ａ）（６０ｂ）（６０ｃ）（６０ｄ）は接続用の電線、（６１ａ）（６１ｂ）は高圧配電線である。
電力線あるいは配電線（５２ｃ）（５２ｄ）および（５２ｅ）（５２ｆ）は、高圧配電線（６１ａ）（６１ｂ）に接続された柱上トランス（５８ａ）（５８ｂ）の単相３線式低圧配電線の接地側端子（５９ｉ）（５９ｊ）に接続されている。そこで、高圧配電線（６１ａ）（６１ｂ）に高周波信号を結合して伝送しても柱上トランス（５８ａ）（５８ｂ）を介して単相３線式低圧配電線（５２ｂ）（５２ｃ）（５２ｄ）および（５２ｆ）（５２ｇ）（５２ｈ）まで伝送することが難しいので、結合器（５１ａ）（５１ｂ）を柱上トランス（５８ａ）（５８ｂ）の単相３線式低圧配電線の接地側端子（５９ｉ）（５９ｊ）に接続して単相３線式低圧配電線（５２ａ）（５２ｅ）に当該高周波信号を結合する。
単相３線式低圧配電線（５２ａ）（５２ｂ）（５２ｅ）（５２ｆ）に結合された高周波信号は、一方は当該電線（５２ａ）（５２ｅ）の表面波あるいは進行波によって伝送し、他方は接地線（５２ｂ）（５２ｆ）によって大地に拡散される。当該電線（５２ａ）（５２ｅ）に結合された当該高周波信号はほとんどが電流の変換に変換され、磁流あるいは高周波磁界となるため、空間に放射される割合が極めて小さく、ほとんどが表面波あるいは進行波となって伝搬する。
また、当該高周波信号の周波数が比較的に低く波長が長い時には、電線の湾曲部があってもその個所で空間に放射する割合が小さいので、当該電線に結合された高周波信号はほとんどが当該単相３線式低圧配電線（５２ａ）５２ｅ）およびこれらの電線の支線の先まで少ない減衰で到達する。
当該単相３線式低圧配電線（５２ａ）（５２ｅ）により伝送された高周波信号は、ワットメータ内またはその近くに設置された中継局（１６）により無線信号に変換され、加入者無線端末（１７）により送受信される。
ここで、ワットメータ内に中継局（１６）を設置し無反射終端を行い大地への帰還ループを構成すると、屋内に設置された家電品などが対地アースされている場合でも、建物への入り口に設置されているワットメータあるいは屋内配電盤の地点で無反射接地線を設けて切り離されているので家電品の影響を受けないメリットがある。
あるいは、当該低圧配電線の接地点の近くに接地側電線と非接地側電線の間に当該高周波信号の周波数帯に対しては比較的に低いインピーダンスを呈し商用電力に周波数に対しては比較的に高いインピーダンスを呈するフイルタあるいは進相コンデンサを接続して当該２線路間あるいは当該２線路と大地との間でループ状の伝送線路を形成しても同様な効果が得られる。
また、中継局（１６）を接続する結合器（１５）において、無反射の終端を行い接地側電線と非接地側電線との間あるいは当該接地側電線と非接地側電線と大地との間で帰還ループを構成すれば、屋内に設置した家電品による影響を排除でき、これらからの干渉あるいは妨害を除去できる。
また、中継局（１６）当該高周波信号に対して当該低圧配電線（５２ｂ）（５２ｃ）（５２ｄ）および（５２ｆ）（５２ｇ）（５２ｈ）側と屋内配線とを分離し当該高周波信号を無線周波数に変換し屋内に設置されたアンテナにより加入者無線端末（１７）に対して無線中継を行うことも可能である。
また、中継局（１６）により当該高周波信号に対して当該低圧配電線（５２ｂ）（５２ｃ）（５２ｄ）および（５２ｆ）（５２ｇ）（５２ｈ）側と屋内配線とを分離し当該高周波信号を直接あるいは別の高周波信号に変換し屋内配線に再結合して有線中継を行うことも可能である。
また、使用する電線の絶縁皮膜に高誘電率の材料を用いあるいは絶縁皮膜の外周に金属環を間隔を置いて設けあるいは絶縁皮膜の外周に第３の電線あるいは金属テープを並行あるいはらせん状に配置することにより当該高周波信号を表面はあるいは進行はとして伝送し外部への放射を軽減することができる。
また、使用する電線の絶縁皮膜の外周に第３の電線あるいは金属テープを並行あるいはらせん状に配置し当該電線と当該第３の電線あるいは金属テープとの間で伝送路を構成し当該高周波信号を伝送することで外部への放射を軽減することができる。
また、集合住宅、オフイスビルあるいは工場などでは、高圧電力線あるいは高圧配電線を受電する受電盤内あるいはその近くに分散基地局あるいは送受信機を設置することで、集合住宅内、ビル内あるいは工場内の屋内配電線を利用して当該高周波信号を伝送することができる。実験の結果では、５ＭＨｚから３００ＭＨｚまでの広い周波数範囲で伝送損失が比較的に少なくインバータなどによる雑音も少なく、屋内配電線が多肢に枝分かれすることで生じる定在波は移動無線におけるマルチパスと等価であり、許容伝送損失に２０ｄＢ程度のマージンをとることで信頼性の高い通信が可能となることが分かった。
【０００８】
図３ａ、３ｂは本発明の他の実施例を示す構成図であり、図３ａにおいて、（５７ｂ）（５７ｄ）（５７ｅ）（５７ｆ）は接続端子、（７１）は磁性体、（７２）は電線で２次巻線、（７３）は１次巻線である。
接続端子（５７ｂ）（５７ｄ）には電力線あるいは配電線が接続され、接続端子（５７ｅ）（５７ｆ）には分散基地局から送受信される高周波信号出力が接続されている。分散基地局から出力される高周波信号が巻線（７３）に流れると２次巻線（７２）に高周波の磁流が流れ表面波あるいは進行波となって電力線あるいは配電線の電線（７２）の表面波あるいは進行波によって伝送される。
逆に、電力線あるいは配電線の電線（７２）によって伝送された表面波あるいは進行波は、１次巻線（７３）に結合され、分散基地局によって受信される。
ここで、磁性体７１は１次巻線と２次巻線に対して漏洩磁束が生じないように構成されていると広帯域の結合トランスとなる。また、電力線あるいは配電線の表面に流れる表面波あるいは進行波は電線の表面に長く留まって伝送され、従って、無線信号となって放射される度合いが非常に少ないことから、電力線あるいは配電線を利用した広域伝送に最適である。
図３ｂにおいて、７４は３次の巻線であり、これに共振用のコンデンサ７５が接続されている。磁性体７１は１次巻線と２次巻線に対して漏洩磁束が生じる場合にこれを打ち消して挿入損失の少ないトランスを実現する場合に相当する。
また、上記の説明では磁性体のコアを用いる場合について説明したが、空心のコイルを結合させても同様な効果が得られる。
また、上記の説明では一体の磁性体のコアを用いる場合について説明したが、２分割したフエライトコアなどを用いることで容易に着脱することが出来る。
【０００９】
図４ａ、４ｂ、４Ｃは本発明の他の実施例を示す構成図であり、図４ａにおいて、（５７ｂ）（５７ｄ）（５７ｅ）（５７ｆ）は接続端子、（７２）は電線、（８１ａ）（８１ｂ）はループ、（８２）（８２ａ）（８２ｂ）はコンデンサである。
接続端子（５７ｂ）（５７ｄ）には電力線あるいは配電線が接続され、接続端子（５７ｅ）（５７ｆ）には分散基地局から送受信される高周波信号出力が接続されている。
当該電線（７２）の一部とループ（８１ａ）（８１ｂ）とは全体でループを構成しており、分散基地局から出力される高周波信号がループ（８１ａ）、電線（７２）、およびループ（８１ｂ）に流れると当該電線（７２）に高周波の磁流が流れ表面波あるいは進行波となって電力線あるいは配電線の電線（７２）の表面波あるいは進行波によって伝送される。
逆に、電力線あるいは配電線の電線（７２）によって伝送された表面波あるいは進行波は、ループ（８１ａ）、電線（７２）、およびループ（８１ｂ）に結合され、当該分散基地局によって受信される。
ここで、ループの断面積を小さくするか外部をシールドで覆うなどすると、空間に放射される電力が抑えられ広帯域の結合トランスとって、当該高周波信号は電力線あるいは配電線の表面に流れる表面波あるいは進行波に変換され、電線の表面に長く留まって伝送され、従って、無線信号となって放射される度合いが非常に少ないことから、電力線あるいは配電線を利用した広域伝送に最適である。
図４ｂにおいて、ループ（８１ａ）（８１ｂ）と直列に共振用のコンデンサ（８２ａ）（８２ｂ）が接続されており、全体として当該高周波信号の周波数と共振するか共振の近くに設定されている。
図４ｃでは、、ループ（８１ａ）（８１ｂ）と並列に共振用のコンデンサ（８２）が接続されており、全体として当該高周波信号の周波数と共振するか共振の近くに設定されている。
図４ｂと図４ｃの構成により、ループ（８１ａ）（８１ｂ）を小型化できるメリットがある。また図４ｂではコンデンサ（８２ａ）（８２ｂ）により電力線あるいは配電線の電圧を軽減できる。
【００１０】
図５ａ、５ｂは、本発明の他の実施例を示す構成図であり、（５７ｂ）（５７ｄ）は接続端子、（７２）は電線、（９１）は外部導体、（９２）はテーパ、（９３）は誘電体、（９４）は同軸ケーブル、（９５）は結合ループ、（９６）はコイルである。
当該分散基地局から出力される高周波信号は、同軸ケーブル（９４）を通して結合ループ（９５）に加えられると、外部導体（９１）と電線（７２）あるいは電線（７２）とコイル（９６）および誘電体（９３）によって構成された共振器によって電線（７２）あるいは電線（７２）とコイル（９２）に磁流あるいは共振電流が発生し表面波あるいは進行波となって接続端子（５７ｂ）の方向に伝送される。
逆に、接続端子（５７ｂ）の方向から伝送された高周波信号は、外部導体（９１）と電線（７２）および誘電体（９３）共振器によって結合ループ（９５）に結合し、同軸ケーブル（９４）を通じて分散基地局によって受信される。
ここで、テーパ（９２）は当該共振器から表面波あるいは進行波を発生させる際のインピーダンスの変化を滑らかにして空間に無線信号として放射されるのを防止するためのものである。
また、誘電体（９３）の代わりに、内部導体（７２）あるいはコイル（９６）を外部導体（９１）に支えるが固定するための支持物に置き換えることができる。また、結合ループ（９５）は内部導体（７２）あるいはコイル（９６）に直接接続し（タップをとる）あるいは内部導体（７２）あるいはコイル（９６）と結合トランスを構成することもできる。
また、テーパ（９２）と内部の誘電体（９３）のいずれかあるいは両方は、支持用の碍子あるいはジョイントあるいは他の手段に置き換えても同様な効果が発揮できる。
また、テーパ（９２）の代わりに平板あるいは湾曲状の反射板を設けることもできる。
また、テーパ（９２）の代わりに当該電線（７２）の絶縁皮膜の外周に第３の電線あるいは金属テープをらせん状に巻きつけその一方の端を接続することで同様な効果を得ることができる。
また、当該電線（７２）の絶縁皮膜に高誘電率の材料を用いあるいは絶縁皮膜の外周に金属環を間隔を置いて設けあるいは絶縁皮膜の外周に第３の電線あるいは金属テープを並行あるいはらせん状に配置することで表面波あるいは進行波の伝送を容易にすることができる。
【００１１】
以上の説明で例として上げた結合器の他に、電線の表面波あるいは進行波を生成しあるいは受信する物理的な手段を用いる結合器を適用しても同様な効果が得られる。
また、当該表面波あるいは進行波による伝送の他に、磁流による伝送あるいはループ状線路による伝送等当該高周波信号を１本の電線に結合して伝送する物理的な手段を用いることで同様な効果が得られる。
また、当該高周波信号の周波数は、５〜１０ＭＨｚ帯に限らず、数百ＫＨｚから数十ＧＨｚ帯までの任意の周波数帯を用いることができ、問題となる上り方向の流合雑音（インバータを用いた電気機器から発生する比較的に低い周波数の雑音）が少ない周波数帯を選択できる。
また、電力線あるいは配電線あるいは屋内配線を平行２線あるいは平行３線あるいは任意の線数の平行線とし当該高周波信号を表面波あるいは進行波として伝送させることも可能である。
また、当該高周波信号は、１．９ＧＨｚ帯のＰＨＳあるいは２．４ＧＨｚ帯あるいは５ＧＨｚ帯の無線ＬＡＮあるいは任意の周波数帯でよく、変調方式もＱＡＭあるいはＯＦＤＭＡあるいは任意の方式でよく、何れの場合でも、ダウンコンバータとアップコンバータを用いて５〜１０ＭＨｚの周波数帯に変換して当該伝送路を伝送させ、中継局によって元の周波数に変換して無線信号として送受信することが出来る。
また、当該分散基地局を当該電力線あるいは配電線あるいは単相３線式低圧配電線に結合する代わりに集合住宅などでは受電設備あるいは屋内配電盤の内部あるいは近辺において当該高周波信号を結合し各加入者宅のワットメータあるいは屋内に中継局あるいは加入者端末を設置しても同様な効果が得られる。
【００１２】
【発明の効果】
本発明は、上記のように構成されるため、電力線あるいは配電線を利用して、ラスト１マイルを安価なコストの広域の加入者アクセス回線が構築でき、高速のデータ通信が可能となる。
【図面の簡単な説明】
【図１】本発明の一実施例を示す構成図である。
【図２】本発明の他の実施例を示す構成図である。
【図３】本発明の他の実施例を示す構成図である。
【図４】本発明の他の実施例を示す構成図である。
【図５】本発明の他の実施例を示す構成図である。
【図６】従来の例を示す構成図である。
【符号の説明】
１１                                    基地局あるいは有線モデム
１２ａ、１２ｂ                          分散基地局
１３ａ、１３ｂ、１３ｃ                  光ケーブル
１４、１４ａ、１４ｂ                    加入者端末
１５                                    結合器
１６                                    中継局
１７                                    加入者無線端末
４１、４２ａ、４２ｂ、４２ｃ            接続端子
４２ｄ、４２ｅ、４２ｆ、４２ｇ、４２ｈ  接続端子
４３ａ、４３ｂ                          付加インピーダンス
５０ａ、５０ｂ、５０ｃ、５０ｄ          接続ケーブル
５１ａ、５１ｂ                          結合器
５２ａ、５２ｂ、５２ｃ、５２ｄ          単相３線式低圧配電線
５２ｅ、５２ｆ、５２ｇ、５２ｈ          単相３線式低圧配電線
５３ａ、５３ｂ、５３ｃ、５３ｄ、５３ｅ  接続端子
５３ｆ、５３ｇ、５３ｈ、５３ｉ、５３ｊ  接続端子
５３ｋ、５３ｍ                          接続端子
５４                                    コンセント
５５                                    プラグ
５７ａ、５７ｂ、５７ｃ、５７ｅ、５７ｆ  接続端子
５８ａ、５８ｂ                          柱上トランス
５９ａ、５９ｂ、５９ｃ、５９ｄ、５９ｅ  接続端子
５９ｆ、５９ｇ、５９ｈ                  接続端子
６０ａ、６０ｂ、６０ｃ、６０ｄ          接続ケーブル
６１ａ、６１ｂ                          高圧配電線
７１                                    磁性体
７２                                    電線で２次巻線
７３                                    １次巻線
７４                                    ３次巻線
７５                                    コンデンサ
８１ａ、８１ｂ                          ループ
８２、８２ａ、８２ｂ                    コンデンサ
９１                                    外部導体
９２                                    テーパ
９３                                    誘電体
９４                                    同軸ケーブル
９５                                    結合ループ
９６                                    コイル
【図１】
2004297107.tif 000003
【図２】
2004297107.tif 000004
【図３】
2004297107.tif 000005
【図４】
2004297107.tif 000006
【図５】
2004297107.tif 000007
【図６】
2004297107.tif 000008